(57)【特許請求の範囲】
【請求項１】
副制御回路と、複数の送信先に対して共通に設けられるｎ個の共通副制御信号線と、前記ｎ個の共通副制御信号線それぞれに接続されているｎ個の共通副制御信号出力端子と、前記複数の送信先それぞれに対応して設けられる複数の選択信号線と、前記複数の選択信号線それぞれに接続されている複数の選択信号出力端子が配設されている副制御基板を備え、前記副制御回路は、遊技機全体の動作を制御する主制御回路から出力される主制御信号に基づいて、前記複数の送信先のいずれかに送信する、ｎビットのデータにより構成される共通副制御信号を前記ｎ個の共通副制御信号線に出力するとともに、当該共通副制御信号を送信する送信先が選択されたことを示す選択信号を、当該共通副制御信号を送信する送信先に対応する選択信号線に出力する遊技機であって
発光器基板を備え、
前記発光器基板には、前記副制御基板の前記ｎ個の共通副制御信号出力端子それぞれに接続されるｎ個の共通副制御信号入力端子と、前記副制御基板の前記複数の選択信号出力端子のいずれかに接続される選択信号入力端子と、発光器が接続される第１及び第２の発光器接続端子が配設されているとともに、前記ｎ個の共通副制御信号入力端子及び前記選択信号入力端子と前記第１及び第２の発光器接続端子の一方との間に電流調整回路が配設されており、
前記電流調整回路は、前記選択信号入力端子に選択信号が入力されていない時には、前記共通副制御信号入力端子に入力される共通副制御信号に関係なく、前記第１及び第２の発光器接続端子に接続されている発光器を流れる電流の値を、当該発光器が消灯する値に調整し、前記選択信号入力端子に選択信号が入力されている時には、前記共通副制御信号入力端子に入力される共通副制御信号に関係なく、前記第１及び第２の発光器接続端子に接続されている発光器を流れる電流の値を、当該発光器が点灯する値に調整するように構成されていることを特徴とする遊技機。
【発明の詳細な説明】
【技術分野】
【０００１】
本発明は、遊技機に用いられている基板、特に、副制御基板を複数の演出仕様に対して兼用する技術に関する。
【背景技術】
【０００２】
遊技機、例えば、パチンコ機では、種々の基板が用いられている。例えば、遊技機全体の動作を制御する主制御信号を出力する主制御回路が配設されている主制御基板、主制御回路から出力される主制御信号に基づいて副制御信号を出力する副制御回路が配設されている副制御基板が用いられている。これ以外にも、表示装置（装飾図柄表示装置）を制御する表示制御回路が配設されている表示制御基板、スピーカを制御する音源ＩＣ（音制御回路）が配設されている音制御基板、ランプ（ＬＥＤ）を制御するランプ制御回路が配設されているランプ制御基板等が用いられている。なお、副制御基板に、音源ＩＣやランプ駆動回路を配設することにより、ランプ制御基板及び音制御基板を省略したものもある。（特許文献１参照）
【０００３】
このような副制御回路は、例えば、表示装置の表示図柄や変動パターンを示す表示コマンド信号やスピーカ（音発生器）の音発生パターンを示す音コマンド信号等の副コマンド信号、ランプ駆動回路を制御するランプ制御信号を副制御信号として出力する。
副制御基板には、表示コマンド信号や音コマンド信号等の副コマンド信号を伝送する共通のバス、ランプ制御信号等の制御信号を伝送し、制御信号の出力先に対応する個別の制御信号線、バスを伝送する副コマンド信号の送信先に対応し、選択信号を伝送する選択信号線が配設されている。また、バスを伝送する表示コマンド信号を外部に出力するためのコマンド信号出力端子と、表示制御回路に対応する選択信号線を伝送する選択信号を外部に出力するための選択信号出力端子が配設されている。
表示制御基板には、副制御基板のコマンド信号出力端子、選択信号出力端子に接続されるコマンド信号入力端子、選択信号入力端子が配設されている。
副制御回路は、主制御回路から出力される主制御信号に基づいて、副コマンド信号をバスに出力するとともに、副コマンド信号の送信先に対応する選択信号線に選択信号を出力する。あるいは、制御信号（例えば、ランプ制御信号）を、制御信号の出力先（例えば、所望のランプを制御するランプ駆動回路）に対応する制御信号線に出力する。
副制御基板に配設されている音源ＩＣは、自己に対応する選択信号線から選択信号が入力されると、バスから音コマンド信号を入力し、入力した音コマンド信号に基づいてスピーカを制御する。
表示制御基板に配設されている表示制御回路は、選択信号入力端子に選択信号が入力されると、コマンド信号入力端子から表示コマンド信号を入力し、入力した表示コマンド信号に基づいて表示装置を制御する。
【特許文献１】特開２００４−２１５９４０号公報
【発明の開示】
【発明が解決しようとする課題】
【０００４】
従来の遊技機では、副制御基板には、表示制御基板に配設されている表示制御回路にコマンド信号と選択信号を出力するためのコマンド信号出力端子と選択信号出力端子が設けられている。
ところで、遊技機の機種によっては、表示装置（装飾図柄表示装置）による演出仕様を採用せずに、ＬＥＤ等の発光器による演出仕様を採用することがある。この場合、表示装置による演出仕様に対応する副制御基板のコマンド信号出力端子が不要である。遊技機では、基板の端子を空き端子にすることが禁止されているため、発光器による演出仕様の副制御基板に交換する必要がある。
ここで、資源の有効利用の観点から、副制御基板の兼用化の要望が高まっている。また、基板の小型化を目的として副制御基板の多層化が進められており、副制御基板のコストが高くなっている。この点からも、副制御基板の兼用化が要望されている。
しかしながら、前述したように、表示装置による演出仕様の副制御基板を発光器による演出仕様に対して用いた場合、副制御基板のコマンド信号出力端子に空き端子が発生する。このため、副制御基板を兼用することができなかった。
本発明は、このような点に鑑みて創案されたものであり、基板の端子に空き端子が発生するのを防止しながら、異なる演出仕様に対して副制御基板を兼用することができる技術を提供することを目的とする。
【課題を解決するための手段】
【０００５】
前記課題を解決するために、本発明の第１発明は、請求項１に記載された構成を備えている。
本発明の遊技機は、遊技機全体の動作を制御する主制御回路から出力される主制御信号に基づいて、少なくとも、共通副制御信号と選択信号を出力する副制御回路を有している。副制御回路は、副制御基板に配設されている。副制御基板には、共通副制御信号を伝送する共通副制御線が、複数の送信先に対して共通に配設されているとともに、選択信号を伝送する選択信号伝送線が、複数の送信先それぞれに対応して個別に配設されている。共通副制御信号線としては、典型的には、バスが対応する。なお、副制御回路から、個別副制御信号を出力する場合には、個別副制御信号を伝送する個別副制御線が、個別副制御信号を出力する出力先に対応して個別に配設される。共通副制御信号線、選択信号線や個別副制御信号線は、典型的には、配線パターンとして形成される。
本明細書では、「共通副制御信号」は、共通副制御線に出力される副制御信号を意味し、典型的には、表示コマンド信号や音コマンド信号等の副コマンド信号が対応する。共通副制御信号（副コマンド信号）は、ｎビット（ｎは１以上の正の整数）のデータ（信号）により構成されるが、２ビット以上、典型的には、８ビットのデータにより構成される。共通副制御線の本数は、共通副制御信号をパラレルに伝送する場合には、共通副制御信号を構成するビット数だけ設けられる。
副制御回路から出力する選択信号は、典型的には、１ビットのデータ（例えば、「Ｈ」レベルあるいは「Ｌ」レベルのデータ）により構成される。なお、ノイズ等による誤動作を防止するために、第１の選択信号と第２の選択信号により構成される選択信号を用いることもできる。この場合、第１の選択信号と第２の選択信号が所定の条件を満足することにより、例えば、共に「Ｈ」レベルであることにより、正しい選択信号を受信したことを判別する。
また、副制御基板には、副制御基板の外部に共通副制御信号と選択信号を出力するための共通副制御信号出力端子と選択信号出力端子が配設されている。共通副制御信号出力端子からは、共通副制御信号線を伝送する共通副制御信号が出力される。また、選択信号出力端子からは、制御基板の外部に配設されている制御回路に対応する選択信号線を伝送する選択信号が出力される。共通副制御信号出力端子や選択信号出力端子から共通副制御信号や選択信号を出力する態様には、トランジスタ等の中継回路や増幅回路を介して出力する態様が含まれる。
副制御基板には、例えば、表示制御基板や発光器基板等が接続可能である。これらの基板には、副制御基板に配設されている共通副制御信号出力端子、選択信号出力端子に接続される共通副制御信号入力端子、選択信号入力端子が配設されている。なお、好適には、副制御基板に、個別副制御信号を副制御基板の外部に出力するための個別副制御信号線及び個別副制御信号出力端子が設けられ、副制御基板に接続される発光器基板に、個別副制御出力端子と接続される個別副制御信号入力端子が配設される。個別副制御信号線を伝送する個別副制御信号を個別副制御信号出力端子から出力する態様には、トランジスタ等の中継回路や増幅回路等を介して出力する態様が含まれる。
発光器基板には、発光器が接続される第１及び第２の発光器接続端子が配設されている。さらに、発光基板には、共通副制御信号入力端子及び選択信号入力端子と第１及び第２の発光器接続端子の一方との間に電流調整回路が配設されている。好適には、電流調整回路が接続される第１及び第２の発光器接続端子の一方は、直流電源の負極端子（あるいは、接地端子）に接続され、第１及び第２の発光器接続端子の他方は、直流電源の正極端子に接続される。
電流調整回路は、共通副制御信号入力端子に空き端子が発生することなく、第１及び第２の発光器接続端子に接続されている発光器を流れる電流の値を、共通副制御信号入力端子に入力される共通副制御信号に関係なく、選択信号入力端子に入力される選択信号に基づいて、点灯可能下限電流値未満あるいは点灯可能下限電流値以上に調整し、且つ、共通副制御信号線を伝送する共通副制御信号が変化しないように構成される。電流調整回路は、典型的には、抵抗により構成される。電流調整回路の抵抗の抵抗値は、直流電源の電圧変動や発光器の定格電流等を考慮して設定される。
【発明の効果】
【０００６】
請求項１に記載の発明では、共通副制御信号を必要としない発光器基板には、発光器を流れる電流を、共通副制御信号入力端子に入力される共通副制御信号に関係なく、選択信号入力端子に入力される選択信号に基づいて調整する電流調整回路が設けられている。これにより、共通副制御信号出力端子及び選択信号出力端子が配設されている副制御基板に、共通副制御信号入力端子及び選択信号入力端子が配設されている発光器基板を接続した場合でも、共通副制御信号線を伝送する共通副制御信号が変化するのを防止することができるとともに、副制御基板の共通副制御号出力端子に空き端子が発生するのを防止することができる。
したがって、共通副制御信号出力端子及び選択信号出力端子が配設されている副制御基板を、表示装置による演出を行う遊技機及び表示装置による演出を行わない遊技機に対して共通に用いることができる。これにより、資源の節約及びコストの低減を図ることができる。
【発明を実施するための最良の形態】
【０００７】
以下に、本発明の実施の形態を、図面を参照して説明する。
本発明の第１の実施の形態の概略構成図を図１に示す。本実施の形態は、本発明をパチンコ機として構成したものである。また、図１は、副制御基板２０に表示制御基板３０とランプ基板４０とスピーカ２４を接続した状態を示している。
図１に示すパチンコ機は、主制御基板１０、副制御基板２０、表示制御基板３０、ランプ基板４０等を備えている。
主制御基板１０には、主制御回路１１、ＲＯＭやＲＡＭ等の記憶回路１２、表示装置駆動装置１３等が配設されている。通常、主制御回路１１と記憶回路１２は、制御用ＩＣとして一体的に構成される。
主制御回路１１には、種々の入力信号が入力される。例えば、始動入賞球検出装置から出力される、遊技球が始動入賞装置に入球したことを示す始動入賞球検出信号、特別入賞球検出装置から出力される、遊技球が特別入賞口に入球したことを示す特別入賞球検出信号、大入賞球検出装置から出力される、遊技球が大入賞装置に入球したことを示す大入賞球検出信号、入賞球検出装置から出力される、遊技球が入賞口に入球したことを示す入賞球検出信号等が入力される。
主制御回路１１は、入力信号と記憶回路１２に記憶されている制御プログラムや各種の乱数発生プログラムに基づいて、主制御信号を出力する。
例えば、始動入賞球検出信号が入力されると、抽選手段により抽選を行い、抽選の結果が当たりであるか否か（抽選結果）を判定するとともに、抽選結果を報知する演出表示時間を判定する。そして、判定した抽選結果を示す抽選結果情報や演出表示時間を示す演出表示時間情報を含む主コマンド信号を主制御信号として副制御回路２１に出力する。また、判定した抽選結果と演出表示時間に基づいて、特別図柄表示装置１４を駆動する表示装置駆動装置１３を制御する制御信号を主制御信号として出力する。また、抽選結果が当たりである場合には、抽選結果の演出が行われた後、大入賞口を開閉する大入賞口開閉部材を駆動する大入賞口開閉部材駆動回路に開閉部材制御信号を出力し、遊技者に有利な大当たり遊技状態を発生させる。同時に、大当たり遊技状態に対応する演出を行うことを指示する主コマンド信号を主制御信号として副制御回路２１に出力する。
特別図柄表示装置１４としては、処理負担が軽いＬＥＤ等により構成される表示装置が用いられる。
また、大当たり遊技状態は所定数のラウンドにより構成され、主制御回路１１は、ラウンド中に特別入賞球検出信号が入力されると、次のラウンドを開始する。
また、主制御回路１１は、大入賞球検出信号あるいは入賞球検出信号が入力されると、それぞれに対応する数の賞球数を示す主コマンド信号を主制御信号として賞球制御回路（図示省略）に出力する。
【０００８】
副制御基板２０には、副制御回路２１、ＲＯＭやＲＡＭ等の記憶回路２２、音源ＩＣ（音制御回路）２３、ランプ駆動回路（発光器駆動回路）２５等が配設されている。
副制御回路２１は、主制御回路１１から出力される主制御信号（抽選結果情報や変動表示時間情報を示す主コマンド信号等）と記憶回路２２に記憶されている制御プログラムや各種の乱数発生プログラムに基づいて、副制御信号を出力する。
例えば、抽選結果情報及び変動表示時間情報に基づいて、装飾図柄表示装置３７に表示する装飾図柄や変動パターン等を決定し、決定した装飾図柄を示す図柄情報や変動パターンを示す変動パターン情報等を含む表示コマンド信号（副コマンド信号）を副制御信号として表示制御回路３１に出力する。
また、決定した変動パターンに応じた音による演出を行うために、決定した変動パターンを示す変動パターン情報を含む音コマンド信号（副コマンド信号）を副制御信号として音源ＩＣ２３に出力する。音源ＩＣ２３は、入力された音コマンド信号に基づいてスピーカ２４に音発生器駆動信号を出力し、スピーカ２４から変動パターンに対応した音を発生させる。
また、決定した変動パターンに応じた光による演出を行うために、決定した変動パターンに応じたランプ制御信号を副制御信号としてランプ駆動回路２５に出力する。ランプ駆動回路２５は、入力されたランプ制御信号に基づいて、対応するランプ２６にランプ駆動信号を出力し（ランプに直流電源を供給し）、ランプ２６を変動パターンに対応させて点灯あるいは消灯する。ランプ２６としては、例えば、ＬＥＤ等の発光器が用いられる。
なお、装飾図柄表示装置３７の装飾図柄の変動表示時間は、主制御回路１１で判定された、特別図柄表示装置１４の変動表示時間と一致する。したがって、特別図柄表示装置１４による特別図柄の変動表示の開始時点及び終了時点と、装飾図柄表示装置３７に表示される装飾図柄の変動表示の開始時点及び終了時点は一致する。
【０００９】
表示制御基板３０には、表示制御回路３１、ＲＯＭやＲＡＭ等の記憶回路３２、表示装置駆動装置３３等が配設されている。
表示装置駆動装置３３は、ＶＤＰ(Video  Display  Processor)３４、装飾図柄画像情報、キャラクタ画像情報、背景画像情報等が記憶されているＲＯＭ（キャラクタＲＯＭ）や装飾図柄表示装置の表示画面用のビットマップデータを記憶するＲＡＭ等の記憶回路３５、表示画面のビットマップデータに基づいて装飾図柄表示装置３７を駆動する表示装置駆動回路３６を有している。
表示制御回路３１は、副制御回路２１から出力された副制御信号、例えば、図柄情報や変動パターン情報等を含む表示コマンド信号（副コマンド信号）に基づいて、表示制御信号をＶＤＰ３４に出力する。
ＶＤＰ３４は、入力された表示制御信号に基づいて、記憶回路３５のＲＯＭから所定の図柄画像情報、キャラクタ画像情報や背景画像情報等を読み出し、読み出した各画像情報を、大きさや配設位置を調整しながら合成することによって表示画面に対応するビットマップデータを作成し、記憶回路３５のＲＡＭに記憶する。そして、記憶回路３５のＲＡＭに記憶されているビットマップデータに基づいて、制御信号を表示装置駆動回路３６に出力し、装飾図柄表示装置３７に所定の画像情報を表示させる。
装飾図柄表示装置３７としては、種々の演出表示を行うことができる液晶表示装置等が用いられる。
【００１０】
副制御基板２０に表示制御基板３０とランプ基板４０とスピーカ２４を接続した第１の実施の形態の要部を図２に示す。図２に示すパチンコ機は、表示装置（装飾図柄表示装置）３７とＬＥＤ１〜ＬＥＤｍとスピーカ２４を用いて演出を行う。
副制御基板２０には、副制御回路２１、記憶回路２２、音源ＩＣ（音制御回路）２３、ランプ駆動回路２５、各種の信号線、コネクタ等が配設されている。
信号線としては、通常、配線パターンが用いられる。信号線は、表示コマンド信号や音コマンド信号等の副コマンド信号を副制御信号として伝送する共通副制御信号線、ランプ駆動回路２５へのランプ制御信号等の制御信号を副制御信号として伝送する個別副制御信号線、選択信号を伝送する選択信号線が配設されている。共通副制御信号線は、各副コマンド信号に対して共通に配設され、個別副制御信号線は、各制御信号の出力先に対応して個別に配設される。また、選択信号線は、副コマンド信号を送信する送信先（例えば、音源ＩＣ２３や表示制御回路３１）に対応して個別に配設される。図２では、表示制御回路３１用の選択信号線１と、音源ＩＣ２３用の選択信号線２が配設されている。共通副制御信号線は、ｎビット（ｎは１以上の正の整数）（典型的には、８ビット）のデータにより構成される副コマンド信号をパラレルに伝送する場合には、副コマンド信号を構成するビット数に対応するｎ本（例えば、８本）配設される。各個別副制御信号線や選択信号線も、制御信号や選択信号を構成するビット数に対応する数だけ配設される。本実施の形態では、１ビットのデータにより構成される制御信号や選択信号を伝送するため、制御信号の出力先や選択信号の出力先に対応させて、それぞれ１本配設される。
【００１１】
コネクタとしては、表示制御回路３１に表示コマンド信号（共通副制御信号）と選択信号を出力するためのコネクタＣ２１、ランプ基板４０にランプ制御信号（個別副制御信号）を出力するためのコネクタＣ２２、スピーカ（音発生器）２４に音発生器駆動信号を出力するためのコネクタＣ２３、主制御回路１０から出力された主制御信号を入力するためのコネクタＣ２４、表示制御基板３０に１２Ｖ直流電源を供給するためのコネクタＣ２５、ランプ基板４０に１２Ｖ直流電源を供給するためのコネクタＣ２６が配設されている。
各コネクタには、端子が設けられている。本実施の形態では、副制御信号として出力する副コマンド信号を８ビットのデータにより構成し、８ビットのデータをパラレル出力する。このため、コネクタＣ２１に、８ビットのデータを出力するための共通副制御信号出力端子Ｃ２１ａ〜Ｃ２１ｈが設けられている。コネクタＣ２１に設けられる共通副制御信号出力端子の数は、副制御信号として出力される副コマンド信号のビットの数ｎによって決定される。
また、選択信号を１ビットのデータにより構成している。このため、コネクタＣ２１に、１ビットの選択信号を出力するための選択信号出力端子Ｃ２１ｉが設けられている。
また、ランプ基板４０に接続されているｍ個（あるいは、ｍ群）のＬＥＤ１〜ＬＥＤｍは、それぞれのＬＥＤ駆動信号（ランプ駆動信号）によって制御される。このため、コネクタＣ２２には、ｍ個の個別副制御信号出力端子Ｃ２２−１〜Ｃ２２−ｍが設けられている。
なお、ＬＥＤ１〜ＬＥＤｍは、それぞれ１個あるいは複数個のＬＥＤにより構成される。
【００１２】
副制御基板２０に配設されている副制御回路２１は、主制御信号が入力される主制御信号入力端子Ｎ、８ビットのデータにより構成される副コマンド信号（共通副制御信号）を出力する共通副制御信号出力端子Ａ１〜Ａ８、表示制御回路３１を選択する選択信号を出力する選択信号出力端子Ｓ１、音源ＩＣ２３を選択する選択信号を出力する選択信号出力端子Ｓ２、ランプ駆動回路２５に設けられているランプ駆動用のＮＰＮトランジスタＴｒ１〜Ｔｒ−ｍへのランプ制御信号（個別副制御信号）を出力する個別副制御信号出力端子Ｄ１〜Ｄｍを有している。
また、副制御基板２０に配設されている音源ＩＣ２３（音制御回路）は、８ビットの副コマンド信号（共通副制御信号）が入力される共通副制御信号入力端子Ａ１〜Ａ８、選択信号が入力される選択信号入力端子Ｓ、音発生器駆動信号を出力する音発生器駆動信号出力端子Ｔを有している。
副制御回路２１の共通副制御信号出力端子Ａ１〜Ａ８は、共通副制御信号線を介して音源ＩＣ２３の共通副制御信号入力端子Ａ１〜Ａ８と共通副制御信号出力用のＮＰＮトランジスタＴｒ２１ａ〜Ｔｒ２１ｈのベース端子に接続されている。
共通副制御信号出力用のＮＰＮトランジスタＴｒ２１ａ〜Ｔｒ２１ｈのコレクタ端子は、それぞれコネクタＣ２１の共通副制御信号出力端子Ｃ２１ａ〜Ｃ２１ｈに接続され、エミッタ端子は、それぞれ接地端子に接続されている。これにより、共通副制御信号出力端子Ｃ２１ａ〜Ｃ２１ｈには、ベース端子（制御端子）に副コマンド信号（共通副制御信号）を構成する各ビットのデータが入力されるオープンコレクタ回路の出力端子が接続される（オープンコレクタ出力回路が構成されている）。すなわち、共通副制御信号出力端子Ｃ２１ａ〜Ｃ２１ｈは、副コマンド信号（共通副制御信号）を構成する各ビットのデータに応じた状態、例えば、「開放状態」あるいは「接地状態」となる。
【００１３】
副制御回路２１の主制御信号入力端子Ｎは、コネクタＣ２４の端子に接続されている。
副制御回路２１の選択信号出力端子Ｓ１は、表示制御回路３１に対応する選択信号線１を介して選択信号出力用のＮＰＮトランジスタＴｒ２１ｉのベース端子に接続されている。選択信号出力用のＮＰＮトランジスタＴｒ２１ｉのコレクタ端子は、コネクタＣ２１の選択信号出力端子Ｃ２１ｉに接続され、エミッタ端子は、接地端子に接続されている。これにより、選択信号出力端子Ｃ２１ｉには、ベース端子（制御端子）に選択信号が入力されるオープンコレクタ回路の出力端子が接続される。すなわち、選択信号出力端子Ｃ２１ｉは、選択信号出力端子ｓ１から出力される選択信号に応じた状態、例えば、「開放状態」あるいは「接地状態」となる。
副制御回路２１の選択信号出力端子Ｓ２は、音源ＩＣ２３に対応する選択信号線２を介して音源ＩＣ２３の選択信号入力端子Ｓに接続されている。
音源ＩＣ２３の音発生器駆動信号出力端子Ｔは、コネクタＣ２３の端子に接続されている。
また、副制御回路２１の個別副制御信号出力端子Ｄ１〜Ｄｍは、それぞれ、個別副制御信号線を介してランプ駆動回路２５のランプ駆動用（ランプ駆動信号出力用）のＮＰＮトランジスタ（ランプ駆動素子）Ｔｒ−１〜Ｔｒ−ｍのベース端子に接続されている。ランプ駆動用のＮＰＮトランジスタＴｒ−１〜Ｔｒ−ｍのコレクタ端子は、コネクタＣ２２の個別副制御信号出力端子Ｃ２２-１〜Ｃ２２−ｍに接続され、エミッタ端子は、接地端子に接続されている。これにより、個別副制御信号出力端子Ｃ２２−１〜Ｃ２２−ｍには、ベース端子（制御端子）にランプ制御信号（個別副制御信号）が入力されるオープンコレクタ回路の出力端子が接続される。すなわち、個別副制御信号出力端子Ｃ２２−１〜Ｃ２２−ｍは、個別副制御信号出力端子Ｄ１〜Ｄｍそれぞれから出力されるランプ制御信号（個別副制御信号）に応じた状態、例えば、「開放状態」あるいは「接地状態」となる。
本実施の形態では、共通副制御信号線が本発明の「共通副制御信号線」に対応し、選択線１や選択線２が本発明の「選択信号線」に対応し、個別副制御信号線が本発明の「個別副制御信号線」に対応し、共通副制御信号出力端子Ｃ２１ａ〜Ｃ２１ｈが本発明の「共通副制御信号出力端子」に対応し、選択信号出力端子Ｃ２１ｉが本発明の「選択信号出力端子」に対応し、個別副制御信号出力端子Ｃ２２−１〜Ｃ２２−ｍが本発明の「個別副制御信号出力端子」に対応する。
【００１４】
表示制御基板３０には、表示制御回路３１、記憶回路３２、表示装置駆動装置３３、コネクタが配設されている。
図２では、表示制御基板２０に配設されているコネクタＣ２１と接続されるコネクタＣ３１、表示装置駆動装置３３からの表示装置駆動信号を出力するためのコネクタＣ３２、１２Ｖ直流電源を供給するコネクタＣ２５と接続されるコネクタＣ３３が配設されている。
コネクタＣ３１には、端子が設けられている。本実施の形態では、８ビットのデータにより構成される副コマンド信号（共通副制御信号）を出力する副制御基板２０の共通副制御信号出力端子Ｃ２１ａ〜Ｃ２１ｈに接続される共通副制御信号入力端子Ｃ３１ａ〜Ｃ３１ｈと、選択信号を出力する選択信号出力端子Ｃ２１ｉに接続される選択信号入力端子Ｃ３１ｉが設けられている。
表示制御基板３０に配設されている表示制御回路３１は、共通副制御信号が入力される共通副制御信号入力端子Ａ１〜Ａ８、表示制御回路３１を選択する選択信号が入力される選択信号入力端子Ｓ、表示装置駆動装置３３への制御信号を出力する制御信号出力端子Ｔを有している。
【００１５】
表示制御基板３０には、共通副制御信号入力用のＮＰＮトランジスタＴｒ３１ａ〜Ｔｒ３１ｈと、選択信号入力用のＮＰＮトランジスタＴｒ３１ｉが配設されている。
共通副制御信号入力用のＮＰＮトランジスタＴｒ３１ａ〜Ｔｒ３１ｈのコレクタ端子は表示制御回路３１の共通副制御信号入力端子Ａ１〜Ａ８に接続され、エミッタ端子は接地端子に接続されている。
選択信号入力用のＮＰＮトランジスタＴｒ３１ｉのコレクタ端子は表示制御回路３１の選択信号入力端子Ｓに接続され、エミッタ端子は接地端子に接続されている。また、共通副制御信号入力用のＮＰＮトランジスタＴｒ３１ａのベース端子は、抵抗Ｒ３１ａ及びＲ３１ｂ（プルアップ抵抗）を介して１２Ｖ直流電源の正極端子に接続されているとともに、抵抗Ｒ３１ａを介して共通副制御信号入力端子Ｃ３１ａに接続されている。共通副制御信号入力用のＮＰＮトランジスタＴｒ３１ｂ〜Ｔｒ３１ｈ、選択信号入力用のＮＰＮトランジスタＴｒ３１ｉのベース端子も、同様の接続態様で、１２Ｖ直流電源の正極端子と共通副制御信号入力端子Ｃ３１ｂ〜Ｃ３１ｈ、選択信号入力端子Ｃ３１ｉに接続されている。
なお、図示は省略しているが、共通副制御信号入力用のＮＰＮトランジスタＴｒ３１ａ〜Ｔｒ３１ｈ及び選択制御信号入力用のＮＰＮトランジスタＴｒ３１ｉのコレクタ端子は、抵抗（プルアップ抵抗）を介して、表示制御回路３１の電源である３．３Ｖ直流電源の正極端子に接続されている。
本実施の形態では、共通副御信号入力端子Ｃ３１ａ〜Ｃ３１ｈが本発明の「共通副制御信号入力端子」に対応し、選択信号入力端子Ｃ３１ｉが本発明の「選択信号入力端子」に対応する。
【００１６】
ランプ基板４０には、コネクタが配設されている。
図２では、副制御基板２０に配設されているコネクタＣ２２と接続されるコネクタＣ４１、ＬＥＤが接続されるコネクタＣ４２、１２Ｖ直流電源を供給するコネクタＣ２６と接続されるコネクタＣ４３が配設されている。
コネクタＣ４１には、端子が設けられている。本実施の形態では、個別副制御信号を出力する副制御基板２０の個別副制御信号出力端子Ｃ２２−１〜Ｃ２２−ｍと接続される個別副制御信号入力端子Ｃ４１−１〜Ｃ４１−ｍが設けられている。
コネクタＣ４２には、ｍ組のＬＥＤ接続端子対（ＬＥＤ電源端子対）を構成するｍ個の第１のＬＥＤ接続端子Ｃ４２−１ａ〜Ｃ４２−ｎａと第２のＬＥＤ接続端子Ｃ４２−１ｂ〜Ｃ４２−ｍｂが設けられている。ＬＥＤ１〜ＬＥＤｍは、それぞれのＬＥＤ接続端子対の第１のＬＥＤ接続端子と第２のＬＥＤ接続端子に接続される。例えば、ＬＥＤｍは、第１のＬＥＤ接続端子Ｃ４２−ｍａと第２のＬＥＤ接続端子Ｃ４２−ｍｂに接続される。第１のＬＥＤ接続端子と第２のＬＥＤ接続端子は、直流電源の正極端子と負極端子に接続される。図２では、第１のＬＥＤ接続端子Ｃ４２−１ｂ〜Ｃ４２−ｍａが、１２Ｖ直流電源の正極端子に、過電流保護用の抵抗Ｒ５０ｍを介して接続され、第２のＬＥＤ接続端子Ｃ４２−１ｂ〜Ｃ４２−ｍｂが、個別副制御信号入力端子Ｃ４１−１〜Ｃ４１−ｍ、個別副制御信号出力端子Ｃ２２−１〜Ｃ２２−ｍ、個別副制御信号出力用のＮＰＮトランジスタＴｒ−１〜Ｔｒ−ｍを介して接地端子に接続されている。
本実施の形態では、第１のＬＥＤ接続端子Ｃ４２−１ａ〜Ｃ４２−ｍａが本発明の「第３及び第４の発光器接続端子の一方」に対応し、第２のＬＥＤ接続端子Ｃ４２−１ｂ〜Ｃ４２−ｍｂが本発明の「第３及び第４の発光器接続端子の他方」に対応する。
【００１７】
次に、副制御基板２０に表示制御基板３０とランプ基板４０とスピーカ２４を接続した本実施の形態の動作を説明する。
主制御回路１１は、遊技球が始動入賞装置に入球し、始動入賞球検出信号が入力されると、当たり判定用乱数を読み取り、読み取った当たり判定用乱数が当たり値と一致するか否かを判定する（抽選手段により抽選を行う）。また、変動表示時間判定用乱数を読み取る。そして、特別図柄表示装置１４に表示装置駆動装置１３を介して表示装置駆動信号を出力し、特別図柄（ＬＥＤの点灯や点滅を含む）を用いて抽選結果を表示する。例えば、当たり判定用乱数が当たり値と一致する場合（抽選結果が当たりである場合）には、特別図柄表示装置１４に、特別図柄を、変動表示時間判定用乱数に対応する変動表示時間変動表示させ（ＬＥＤを順次点灯させる態様を含む）た後、当たり特別図柄を停止表示させる。一方、当たり判定用乱数が当たり値と一致しない場合（抽選結果がはずれである場合）には、特別図柄表示装置１４に、特別図柄を、変動表示時間判定用乱数に対応する変動表示時間変動表示させた後、はずれ特別図柄を表示させる。なお、抽選によって、当たり特別図柄やはずれ特別図柄を決定するように構成してもよい。
【００１８】
さらに、主制御回路１１は、抽選結果と変動表示時間（当たり判定用乱数と変動表示時間判定用乱数）を示す主コマンド信号を主制御信号として副制御回路２１に出力する。
また、主制御回路１１は、当たり判定用乱数が当たり値と一致した場合（抽選結果が当たりである場合）には、変動表示時間経過後、大入賞口を開閉する大入賞口開閉部材を開制御する制御信号を出力し、大入賞口開閉部材を所定時間開制御する。
そして、この所定時間内に、遊技球が特別入賞口に入球して特別入賞球検出信号が入力されると、大当たり遊技状態となり、大入賞口開閉部材を開制御する制御信号を出力する。大入賞口開閉部材は、設定時間経過した時あるいは大入賞口に所定数の遊技球が入球した時に閉制御される（ラウンドを実行する）。また、特別入賞球検出信号が入力される毎に、大入賞口開閉部材を開制御するラウンドが、所定数のラウンド数に達するまで実行される。なお、ラウンドの途中で特別入賞球検出信号が入力されると、次のラウンドに進む。
さらに、特別入賞球検出信号が入力されて大当たり遊技状態が開始されると、大当たり遊技状態の開始を示す主コマンド信号を主制御信号として副制御回路２１に出力する。
また、主制御回路１１は、始動入賞装置、大入賞装置、入賞装置等の入賞装置に遊技球が入球したことを示す入賞球検出信号が入力されると、入賞装置に対応した数の遊技球を払い出すことを指示する主コマンド信号を主制御信号として賞球制御回路（図示省略）に出力する。
なお、主制御回路１１は、これ以外の種々の制御を行う。
【００１９】
副制御回路２１は、主制御回路１１から主制御信号として出力される主コマンド信号に基づいて種々の副制御信号を出力する。
例えば、主制御回路１１から出力された主コマンド信号が、抽選結果が当たりであることを示している場合（当たり判定用乱数が当たり値と一致する場合）には、当たり図柄用乱数を読み取るとともに、主コマンド信号で示される変動表示時間（変動表示時間判定用乱数で示される変動表示時間）に対応する当たり図柄変動パターン用乱数を読み取る。そして、読み取った当たり図柄用乱数と当たり図柄変動パターン用乱数により、装飾図柄表示装置３７に表示する装飾図柄と変動パターンを決定する。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間に対応するはずれ図柄変動パターン用乱数を読み取る。そして、読み取ったはずれ図柄用乱数とはずれ図柄変動パターン用乱数により、装飾図柄表示装置３７に表示する装飾図柄と変動パターンを決定する。
そして、決定した装飾図柄（当たり図柄あるいははずれ図柄）を示す図柄情報と変動パターン（当たり図柄変動パターンあるいははずれ図柄変動パターン）を示す変動パターン情報を含む表示コマンド信号（副コマンド信号）を共通副制御信号として表示制御回路３１に出力する。
副制御回路２１から表示制御回路３１に表示コマンド信号（共通副制御信号）を出力する場合には、以下の方法が用いられる。
【００２０】
副制御回路２１は、表示制御回路３１に出力する表示コマンド信号に対応する８ビットのデータを、共通副制御信号出力端子Ａ１〜Ａ８からパラレルに共通副制御信号線に出力する。同時に、副制御回路２１は、表示制御回路３１が選択されたことを示す選択信号（例えば、「Ｈ」レベルの選択信号）を、選択信号出力端子Ｓ１から選択信号線１に出力する。この時、選択信号出力端子Ｓ２からは、音源ＩＣ２３が選択されていないことを示す選択信号（例えば、「Ｌ」レベルの選択信号）が出力されている。
副制御回路２１から出力された８ビットのデータにより構成される表示コマンド信号は、共通副制御信号線を介して、音源ＩＣの共通副制御信号入力端子Ａ１〜Ａ８に出力されるとともに、共通副制御信号出力用のＮＰＮトランジスタＴｒ２１ａ〜Ｔｒ２８１ｈのベース端子に出力される。これにより、共通副制御信号出力端子Ｃ２１ａ〜Ｃ３１ｈは、共通副制御信号を構成する各ビットのデータに応じた状態となる（共通副制御信号が出力される）。例えば、共通副制御信号のビットのデータが「Ｈ」レベルである場合には、共通副制御信号出力用のＮＰＮトランジスタが導通状態となり、共通副制御信号出力端子は「接地状態」となる。一方、共通副制御信号のビットのデータが「Ｌ」レベルである場合には、共通副制御信号出力用のＮＰＮトランジスタが非導通状態となり、共通副制御信号出力端子は「開放状態」となる。
なお、本実施の形態では、表示制御基板３０の共通副制御信号入力端子Ｃ３１ａ〜Ｃ３１ｈに、プルアップ抵抗Ｒ３１ｂを介して１２Ｖ直流電源の正極端子が接続されているため、共通副制御信号出力用のＮＰＮトランジスタが非導通状態の場合には、共通副制御信号出力端子は「Ｈ」レベルとなる。
また、副制御回路２１の選択信号出力端子Ｓ１から出力された選択信号は、選択信号線１を介して、選択信号出力用のＮＰＮトランジスタＴｒ２１ｉのベース端子に出力される。これにより、選択信号出力端子Ｃ２１ｉは、選択信号に応じた状態となる。例えば、選択信号が「Ｈ」レベルである場合には、選択信号出力端子Ｃ２１ｉは、「接地状態」となり、選択信号が「Ｌ」レベルである場合には、選択御信号出力端子Ｃ２１ｉは、「開放状態」となる。
本実施の形態では、「選択されたことを示す選択信号（例えば、「Ｈ」レベルの選択信号）を出力する」態様を、「選択信号を出力する」態様として用いている。また、「選択されていないことを示す選択信号（例えば、「Ｌ」レベルの選択信号）を出力する態様を、「選択信号を出力しない」態様として用いている。
【００２１】
表示制御回路３１は、選択信号入力端子Ｓに入力される選択信号に応じて、共通副制御信号入力端子Ａ１〜Ａ８に入力される副コマンド信号（共通副制御信号）を取り込むか否かを決定する。
例えば、副制御回路２１の選択信号出端子Ｓ１から、表示制御回路３１が選択されたことを示す「Ｈ」レベルの選択信号が出力されている場合には、選択信号出力用ＮＰＮトランジスタＴｒ２１ｉが導通状態となり、副制御基板２０の選択信号出力端子Ｃ２１ｉ、したがって、表示制御基板３０の選択信号入力端子Ｃ３１ｉが「接地状態」（「Ｌ」レベル）となる。これにより、選択信号入力用のＮＰＮトランジスタＴｒ３１ｉが非導通状態となる。この場合、選択信号入力用のＰＮＰトランジスタＴｒ３１ｉのコレクタ端子がプルアップ抵抗を介して３．３Ｖ直流電源の正極端子に接続されている（図示省略）ため、表示制御回路３１の選択信号入力端子Ｓは「開放状態」（「Ｈ」レベル）となる。
一方、副制御回路２１の選択信号出力端子Ｓ１から、表示制御回路３１が選択されていないことを示す「Ｌ」レベルの選択信号が出力されている場合には、選択信号出力用のＮＰＮトランジスタＴｒ２１ｉが非導通状態となり、表示制御基板３０の選択信号入力端子Ｃ３１ｉ、したがって、表示制御基板３０の選択信号入力端子Ｃ３１ｉが「開放状態」（「Ｈ」レベル）となる。これにより、選択信号入力用のＮＰＮトランジスタＴｒ３１ｉが導通状態となり、表示制御回路３１の選択信号入力端子Ｓが「接地状態」（「Ｌ」レベル）となる。
表示制御回路３１は、選択信号入力端子Ｓが「接地状態」（「Ｌ」レベル）にある場合には共通副制御信号入力端子Ａ１〜Ａ８に入力される副コマンド信号（共通副制御信号）の取り込みは行わず、選択信号入力端子Ｓが「開放状態」（「Ｈ」レベル）にある場合に共通副制御信号入力端子Ａ１〜Ａ８に入力される副コマンド信号（共通副制御信号）を取り込む。
なお、副制御回路２１から表示制御回路３１に表示コマンド信号（共通副制御信号）を出力する場合には、音源ＩＣ２３に対応する選択信号出力端子Ｓ２からは、音源ＩＣ２３が選択されていないことを示す選択信号が出力されるため、音源ＩＣ２３は、共通副制御信号入力端子Ａ１〜Ａ８に入力される副コマンド信号（共通副選択信号）の取り込みは行わない。
【００２２】
また、副制御回路２１は、決定した変動パターンに対応する音の演出や特別遊技状態発生時における音の演出を行うための音コマンド信号（副コマンド信号）を共通副制御信号として音源ＩＣ２３に出力する。例えば、決定した変動パターを示す変動パターン情報を含む音コマンド信号（副コマンド信号）を音源ＩＣ２３に出力する。
音源ＩＣ２３は、入力された音コマンド信号（副コマンド信号）に基づいて、スピーカ２４を駆動する音発生器駆動信号を出力する。
副制御回路２１から音源ＩＣ２３に音コマンド信号（副コマンド信号）を出力する場合には、以下の方法が用いられる。
副制御回路２１は、音源ＩＣ２３に出力する音コマンド信号に対応する８ビットのデータを、共通副制御信号出力端子Ａ１〜Ａ８からパラレルに共通副制御信号線に出力する。同時に、音源ＩＣ２３が選択されたことを示す選択信号（例えば、「Ｈ」レベルの選択信号）を、選択信号出力端子Ｓ２から選択信号線２に出力する。この時、選択信号出力端子Ｓ１からは、表示制御回路３１が選択されていないことを示す選択信号（例えば、「Ｌ」レベルの選択信号）が出力されている。
副制御回路２１から出力された８ビットのデータにより構成される音コマンド信号（副コマンド信号）は、共通副制御信号線を介して音源ＩＣ２３の共通副制御信号入力端子Ａ１〜Ａ８に出力されるとともに、共通副制御信号出力用のＮＰＮトランジスタＴｒ２１ａ〜Ｔｒ２１ｈのベース端子に出力される。これにより、共通副制御信号出力端子Ｃ２１ａ〜Ｃ２１ｈは、共通副制御信号を構成する各ビットのデータに応じた状態となる。すなわち、表示制御回路３１の共通副制御信号入力端子Ａ１〜Ａ８に、共通副制御信号を構成する８ビットのデータが入力される。
この場合、音源ＩＣ２３は、選択信号入力端子Ｓに、音源ＩＣ２３が選択されていることを示す選択信号（例えば、「Ｈ」レベルの選択信号）が入力されるため、共通副制御信号入力端子Ａ１〜Ａ８に入力される副コマンド信号を取り込む。
一方、表示制御回路３１は、選択信号入力端子Ｓに、表示制御回路３１が選択されていないことを示す選択信号が入力される（例えば、選択信号入力端子Ｓが「接地状態」にある）ため、共通副制御信号入力端子Ａ１〜Ａ８に入力される副コマンド信号は取り込まない。
【００２３】
また、副制御回路２１は、決定した変動パターンに対応する光の演出や特別遊技状態発生時における光の演出を行うためのランプ制御信号を個別副制御信号としてランプ駆動回路（発光器駆動回路）２５に出力する。
副制御回路２１からランプ駆動回路２５にランプ制御信号（個別副制御信号）を出力する場合には、以下の方法が用いられる。
副制御回路２１は、決定した変動パターンに対応する光の演出を行うために点灯させるＬＥＤと消灯させるＬＥＤを判別する。
そして、点灯させるＬＥＤを駆動するＬＥＤ駆動用トランジスタＴｒ−１〜Ｔｒ−ｍに接続されている個別副制御信号線に対応する個別副制御信号出力端子Ｄ１〜Ｄｍから、ＬＥＤを点灯させることを示すランプ制御信号（例えば、「Ｈ」レベルのランプ制御信号）を個別副制御信号として出力する。これにより、ＬＥＤ駆動用トランジスタＴｒ−１〜Ｔｒ−ｍが導通状態となり、１２Ｖ直流電源の正極端子から、抵抗Ｒ４０ｍ、ＬＥＤ１〜ＬＥＤｍ、個別副制御信号入力端子Ｃ４１−１〜Ｃ４１−ｍ、個別副制御信号出力端子Ｃ２２−１〜Ｃ２２−ｍ、導通状態となっているＬＥＤ駆動用トランジスタＴｒ−１〜Ｔｒ−ｍを介して接地端子に電流が流れ、ＬＥＤ１〜ＬＥＤｍが点灯する。
また、消灯させるＬＥＤを駆動するＬＥＤ駆動用トランジスタＴｒ−１〜Ｔｒ−ｍに接続されている個別副制御信号線に対応する個別副制御信号出力端子Ｄ１〜Ｄｍから、ＬＥＤを消灯させることを示す制御信号（例えば、「Ｌ」レベルのランプ制御信号）を個別副制御信号として出力する。これにより、ＬＥＤ駆動用トランジスタＴｒ−１〜Ｔｒ−ｍが非導通状態となり、ＬＥＤ１〜ＬＥＤｍに電流が流れないため、消灯する。
【００２４】
次に、表示装置を用いた演出は行わず、ＬＥＤとスピーカを用いた演出を行う場合について説明する。ＬＥＤとスピーカを用いた演出を行う場合には、図３に示すように、副制御基板２０に、ランプ基板（発光器基板）５０とスピーカ２４を接続する。
ここで、副制御基板２０は、図２に示した副制御基板２０と同じ構成であるため説明を省略する。
【００２５】
ランプ基板５０には、コネクタが配設されている。
図３では、副制御基板２０の、副コマンド信号（共通副制御信号）および選択信号を出力するためのコネクタＣ２１に接続されるコネクタＣ５１、副制御基板２０の、ランプ駆動信号（個別副制御信号）を出力するためのコネクタＣ２２に接続されるコネクタＣ５２、副制御基板２０の、電源供給用のコネクタＣ２５、Ｃ２６に接続されるコネクタＣ５５、Ｃ５６が配設されている。また、ＬＥＤ１〜ＬＥＤｍが接続されるコネクタＣ５４、追加のＬＥＤｘが接続されるコネクタＣ５３が配設されている。
各コネクタには、端子が設けられている。本実施の形態では、コネクタＣ５１には、副制御基板２０のコネクタＣ２１に設けられている共通副制御信号出力端子Ｃ２１ａ〜Ｃ２１ｈ及び選択信号出力端子Ｃ２１ｉに接続される共通副制御信号入力端子Ｃ５１ａ〜Ｃ５１ｈ及び選択信号入力端子Ｃ５１ｉが設けられている。
また、コネクタＣ５２には、副制御基板２０のコネクタＣ２２に設けられている個別副制御信号出力端子Ｃ２２−１〜Ｃ２２−ｍに接続される個別副制御信号入力端子Ｃ５２−１〜Ｃ５２−ｍが設けられている。
【００２６】
また、コネクタＣ５４には、ＬＥＤ１〜ＬＥＤｍが接続されるＬＥＤ接続端子対（ＬＥＤ電源端子対）を構成する、第１のＬＥＤ接続端子Ｃ５４−１ａ〜Ｃ５４−ｍａ及び第２のＬＥＤ接続端子Ｃ５４−ｂ〜Ｃ５４−ｍｂが設けられている。第１のＬＥＤ接続端子と第２のＬＥＤ接続端子は、１２Ｖ直流電源の正極端子と負極端子に接続される。図３では、第１のＬＥＤ接続端子Ｃ５４−１ａ〜Ｃ５４−ｍａが、１２Ｖ直流電源の正極端子に、過電流保護用の抵抗Ｒ５０ｍ介して接続され、第２のＬＥＤ接続端子Ｃ５４−１ｂ〜Ｃ５４−ｍｂが、共通副制御信号入力端子Ｃ５２−１〜Ｃ５２−ｍ、共通副制御信号出力端子Ｃ２２−１〜Ｃ２２−ｍ、共通副制御信号出力用のＮＰＮトランジスタＴｒ−１〜Ｔｒ−ｍを介して接地端子に接続されている。
また、コネタクＣ５３には、追加のＬＥＤｘが接続されるＬＥＤ接続端子対（ＬＥＤ電源端子対）を構成する第１のＬＥＤ接続端子Ｃ５３ａと第２のＬＥＤ接続端子Ｃ５３ｂが設けられている。第１のＬＥＤ接続端子Ｃ５３ａと第２のＬＥＤ接続端子Ｃ５３ｂは、１２Ｖ直流電源の正極端子と負極端子に接続される。図３では、第１のＬＥＤ接続端子Ｃ５３ａが、過電流保護用の抵抗Ｒ５０ｘを介して１２Ｖ直流電源の正極端子に接続され、第２のＬＥＤ接続端子Ｃ５３ｂが、後述する電流調整回路５１を介して１２Ｖ直流電源の負極端子に接続される。
ＬＥＤｘは、１個あるいは複数のＬＥＤにより構成される。
本実施の形態では、ＬＥＤｘ、ＬＥＤ１〜ＬＥＤｍ４２が本発明の「発光器」に対応し、ランプ基板５０が本発明の「発光器基板」に対応し、第１のＬＥＤ接続端子Ｃ５３ａと第２のＬＥＤ接続端子Ｃ５３ｂが本発明の「第１及び第２の発光器接続端子」に対応し、第１のＬＥＤ接続端子Ｃ５４−１ａ〜Ｃ５４−ｍａと第２のＬＥＤ接続端子Ｃ５４−１ｂ〜Ｃ５４−ｍｂが本発明の「第３及び第４の発光器接続端子」に対応する。
【００２７】
ＬＥＤｘを点灯あるいは消灯させるランプ駆動信号（発光器駆動信号）としては、副制御基板２０の選択信号出力端子Ｃ２１ｉから出力される選択信号（図２では、表示制御回路３１を選択する選択信号）を用いることができる。
ここで、前述したように、遊技機では、基板の端子を空き端子とすることができない。このため、ランプ基板５０のコネクタＣ５１に設けられている共通副制御信号入力端子Ｃ５１ａ〜Ｃ５１ｈを開放状態に設定することができない。
また、ランプ基板５０のコネクタＣ５１に設けられている共通副制御信号入力端子Ｃ５１ａ〜Ｃ５１ｈには、共通副制御信号線を伝送している副コマンド信号（共通副制御信号）を構成する各ビットのデータが、副制御基板２０のコネクタＣ２１に設けられている共通副制御信号出力端子Ｃ２１ａ〜Ｃ２１ｈを介して入力されている。このため、ランプ基板５０のコネクタＣ５１に設けられている共通副制御信号入力端子Ｃ５１ａ〜Ｃ５１ｈを流れる電流によって、共通副制御信号線を伝送している副コマンド信号（共通副制御信号）が影響を受けないように、共通副制御信号入力端子Ｃ５１ａ〜Ｃ５１ｈを処理する必要がある。
【００２８】
本実施の形態では、追加のＬＥＤｘが接続される第１のＬＥＤ接続端子Ｃ５３ａ及び第２のＬＥＤ接続端子５３ｂのうちの第２のＬＥＤ接続端子Ｃ５３ｂと、コネクタＣ５１に設けられている共通副制御信号入力端子Ｃ５１ａ〜Ｃ５１ｈ及び選択信号入力端子Ｃ５１ｉとの間に電流調整回路５１が設けられている。
電流調整回路５１は、副制御信号入力端子Ｃ５１ａ〜Ｃ５１ｈそれぞれと第２のＬＥＤ接続端子Ｃ５３ｂとの間に配設されている第１の抵抗Ｒ５１ａ〜第８の抵抗Ｒ５１ｈと、第１の抵抗Ｒ５１ａ〜第８の抵抗Ｒ５１ｈと第２のＬＥＤ接続端子Ｃ５３ｂとの接続点（共通接続点）と選択信号入力端子Ｃ５１ｉとの間に配設されている第９の抵抗Ｒ５１ｉにより構成されている。
電流調整回路５１の第１の抵抗Ｒ５１ａ〜第９の抵抗Ｒ５１ｉの抵抗値は、コネクタＣ５１の選択信号入力端子Ｃ５１ｉに、ＬＥＤｘが選択されていない（ＬＥＤｘを消灯させる）選択信号が入力されている時、例えば、副制御回路２１の、ＬＥＤｘに対応する選択信号出力端子（図２では、表示制御回路３１に対応する選択信号出力端子）Ｓ１から「Ｌ」レベルの選択信号が出力されて選択信号出力用のＮＰＮトランジスタＴｒ２１ｉが非導通状態、選択信号出力端子Ｃ２１ｉ及び選択信号入力端子Ｃ５１ｉが「開放状態」（「Ｈ」レベル）にある時には、第１のＬＥＤ接続端子Ｃ５３ａ及び第２のＬＥＤ接続端子Ｃ５３ｂに接続されているＬＥＤｘに流れる電流の値が、ＬＥＤｘの点灯可能最小電流値未満となるように（ＬＥＤｘが消灯するように）、設定される。且つ、この時には、コネクタＣ５１に設けられている共通副制御信号入力端子Ｃ５１ａ〜Ｃ５１ｈに入力される副コマンド信号（共通副制御信号）に関係なく、ＬＥＤｘを流れる電流の値が、ＬＥＤｘの点灯可能最小電流値未満となるように（副コマンド信号に関係なくＬＥＤｘが消灯状態を保持するように）設定される。
また、コネクタＣ５１の選択信号入力端子Ｃ５１ｉに、ＬＥＤｘが選択されている（ＬＥＤｘを点灯させる）選択信号が入力されている時、例えば、副制御回路２１の、ＬＥＤｘに対応する選択信号出力端子Ｓ１から「Ｈ」レベルの選択信号が出力されて選択信号出力用のＮＰＮトランジスタＴｒ２１ｉが導通状態、選択信号出力端子Ｃ２１ｉ及び選択信号入力端子Ｃ５１ｉが「接地状態」（「Ｌ」レベル）にある時には、第１のＬＥＤ接続子Ｃ５３ａ及び第２のＬＥＤ接続端子Ｃ５３ｂに接続されているＬＥＤｘに流れる電流の値が、ＬＥＤｘの点灯可能最小電流値以上となるように（ＬＥＤｘが点灯するように）設定される。且つ、この時には、コネクタＣ５１に設けられている共通副制御信号入力端子Ｃ５１ａ〜Ｃ５１ｈに入力される副コマンド信号（共通副制御信号）に関係なく、ＬＥＤｘを流れる電流の値が、ＬＥＤｘの点灯可能最小電流値以上となるように（副コマンド信号に関係なくＬＥＤｘが点灯状態を保持するように）設定される。
【００２９】
すなわち、電流調整回路５１は、共通副制御信号入力端子Ｃ５１ａ〜Ｃ５１ｈに入力される副コマンド信号（共通副制御信号）に関係なく、選択信号入力端子Ｃ５１ｉに入力される選択信号によって、第１のＬＥＤ接続端子Ｃ５３ａ及び第２のＬＥＤ接続端子Ｃ５３ｂに接続されているＬＥＤｘを流れる電流の値を調整するように（ＬＥＤｘが点灯あるいは消灯するように）構成されている。
これにより、共通副制御信号入力端子Ｃ５１ａ〜Ｃ５１ｈが空き端子となるのを防止することができ、また、共通副制御信号線を伝送する共通副制御信号を変化させることがない。
電流調整回路５１の第１の抵抗Ｒ５１ａ〜第９の抵抗Ｒ５１ｉの抵抗値は適宜設定することができる。例えば、過電流保護用の抵抗Ｒ５０ｘの抵抗値を５６０Ωに設定した場合、第１の抵抗Ｒ５１ａ〜第８の抵抗Ｒ５１ｈの抵抗値を６．８ｋΩ、第９の抵抗Ｒ５１ｉの抵抗値を１０Ωに設定することができる。第１の抵抗Ｒ５１ａ〜第８の抵抗Ｒ５１ｂの抵抗は大きいほうが好ましい。
また、電流調整回路５１は、これ以外の種々の構成を用いることができる。
なお、ＬＥＤ１〜ＬＥＤｍを用いた演出やスピーカ２４を用いて演出を行う動作は、前述したとおりである。
【００３０】
以上のように、本実施の形態では、表示制御基板３０が接続可能（共通制御信号出力端子と選択信号出力端子を有する）な副制御基板２０に、表示制御基板３０に代えてランプ基板（発光器基板）５０を接続可能に構成している。これにより、副制御基板２０を、表示装置（装飾図柄表示装置）と発光器を用いて演出を行う仕様の遊技機及び表示装置を用いることなく発光器を用いて演出を行う仕様の遊技機に兼用することができるため、資源を節約することができるとともに、コストを低減することができる。
また、ランプ基板（発光器基板）５０に、ＬＥＤｘ（発光器）４２に流れる電流を、共通副制御信号入力端子Ｃ５１ａ〜Ｃ５１ｈから入力される共通副制御信号に関係なく、選択信号入力端子Ｃ５１ｉに入力される選択信号に応じた値に調整する電流調整回路５１を設けている。これにより、共通副制御信号線を伝送する共通副制御信号に影響を与えることがなく、また、副制御基板２０の共通副制御信号出力端子やランプ基板５０の共通副制御信号入力端子に空き端子が発生するのを防止することができる。
【００３１】
ところで、信号線に侵入するノイズ等により、信号線にノイズ信号が伝送しあるいは信号線を伝送する信号が変化することがある。このようなノイズ信号や信号の変化が発生すると、制御回路が誤動作する虞がある。例えば、表示制御回路が誤動作し、抽選結果が当たりでないにも関わらず当たり装飾図柄が誤表示され、あるいは抽選結果が当たりであるにも関わらずはずれ装飾図柄が誤表示される虞がある。このような誤表示が行われると、遊技者の遊技に対する興趣が低減する虞がある。このため、このような誤動作を防止する必要がある。
以下に、表示制御回路がノイズ等によって誤動作するのを防止する構成を備えた第２の実施の形態を説明する。本実施の形態では、副制御回路から表示制御回路に、第１の選択信号と第２の選択信号により構成される選択信号を出力し、表示制御回路では、第１の選択信号と第２の選択信号が所定の条件を満足しているか否かによって、誤信号が入力されているか否かを判別する。
【００３２】
副制御基板１２０に、表示制御基板１３０とランプ基板１４０とスピーカ１２４を接続した第２の実施の形態、すなわち、表示装置１３７とＬＥＤ１〜ＬＥＤｍとスピーカ１２４を用いて演出を行うパチンコ機の要部を図４に示す。
まず、副制御基板１２０の構成を説明する。
本実施の形態の副制御基板１２０では、コネクタＣ１２１に、共通副制御信号出力端子Ｃ１２１ａ〜ｃ１２１ｈと、第１及び第２の選択信号出力端子Ｃ１２１ｉ及びＣ１２１ｊを設けている。共通副制御信号出力端子Ｃ１２１ａ〜Ｃ１２１ｈ、第１及び第２の選択信号出力端子Ｃ１２１ｉ及びＣ１２１ｊは、副制御回路１２１から出力される共通副制御信号及び選択信号がベース端子（制御端子）に入力される共通副制御信号出力用のＮＰＮトランジスタＴｒ１２１ａ〜Ｔｒ１２１ｈ、第１及び第２の選択信号出力用のＮＰＮトランジスタＴｒ１２１ｉ及びＴｒ１２１ｊにより構成されるオープンコレクタ回路の出力端子に接続されている。
副制御回路１２１は、共通副制御信号出力端子Ａ１〜Ａ８と、第１及び第２の選択信号出力端子Ｓ１ａ及びＳ１ｂと、Ｓ２ａ及びＳ２ｂを有している。第１及び第２の選択信号出力端子Ｓ１ａ及びＳ１ｂは、表示制御回路１３に対応し、第１及び第２の選択信号出力端子Ｓ２ａ及びＳ２ｂは、音源ＩＣ１２３に対応している。
また、音源ＩＣ１２３は、共通副制御信号入力端子Ａ１〜Ａ８と、第１及び第２の選択信号入力端子Ｓａ及びＳｂを有している。
【００３３】
副制御回路１２１の共通副制御信号出力端子Ａ１〜Ａ８から出力された共通副制御信号（副コマンド信号）は、共通副制御信号線を介して音源ＩＣ１２３の共通副制御信号入力端子Ａ１〜Ａ８に出力されるとともに、共通副制御信号出力用のＮＰＮトランジスタＴｒ１２１ａ〜Ｔｒ１２１ｈのベース端子に出力される。また、表示制御回路１３１が選択されているか否かを判別する第１の選択信号は、第１の選択信号出力端子Ｓ１ａから選択信号線１ａを介して選択信号出力用のＮＰＮトランジスタＴｒ１２１ｉのベース端子に出力される、第２の選択信号は、第２の選択信号出力端子Ｓ１ｂから選択信号線１ｂを介して選択信号出力用のＮＰＮトランジスタＴｒ１２１ｊのベース端子に出力される。また、音源ＩＣ１２３が選択されているか否かを示す第１の選択信号は、第１の選択信号出力端子Ｓ２ａから選択信号線２ａを介して音源ＩＣ１２３の選択信号入力端子Ｓａに出力され、第２の選択信号は、第２の選択信号出力端子Ｓ２ｂから選択信号線２ｂを介して音源ＩＣ１２３の選択信号入力端子Ｓｂに出力される。
本実施の形態では、副制御回路１２１は、第１及び第２の選択信号出力端子Ｓ１ａとＳ１ｂから同じ選択信号を出力し、選択信号出力端子Ｓ２ａとＳ２ｂから同じ選択信号を出力する。例えば、共に「Ｈ」レベルの選択信号あるいは共に「Ｌ」レベルの選択信号を出力する。
本実施の形態では、第１及び第２の選択信号出力端子Ｃ１２１ｉ及びＣ１２１ｊが本発明の「第１及び第２の選択信号出力端子」に対応し、第１及び第２の選択信号出力端子Ｃ１２１ｉ及びＣ１２１ｊから出力される第１及び第２の選択信号が本発明の「第１及び第２の選択信号」に対応する。
【００３４】
次に、表示制御基板１３０の構成を説明する。
本実施の形態の表示制御基板１３０は、コネクタＣ１３１に、副制御基板１２０の共通副制御信号出力端子Ｃ１２１ａ〜Ｃ１２１ｈと、第１及び第２の選択信号出力端子Ｃ１２１ｉ及びＣ１２１ｊに接続される共通副制御信号入力端子Ｃ１３１ａ〜Ｃ１３１ｈと、第１及び第２の選択信号入力端子Ｃ１３１ｉ及びＣ１２１ｊを有している。
表示制御回路１３１は、共通副制御信号入力端子Ａ１〜Ａ８と、第１及び第２の選択信号入力端子Ｓ１ａ及びＳ１ｂを有している。
共通副制御信号入力用のＮＰＮトランジスタＴｒ１３１ａ〜Ｔｒ１３１ｈのコレクタ端子は表示制御回路１３１の共通副制御信号入力端子Ａ１〜Ａ８に接続され、エミッタ端子は接地端子に接続され、ベース端子は１２Ｖ直流電源の正極端子と共通副制御信号入力端子Ｃ１３１ａ〜Ｃ１３１ｈに接続されている。
第１及び第２の選択信号入力用のＮＰＮトランジスタＴｒ１３１ｉ及びＴｒ１３１ｊのコレクタ端子は、それぞれ表示制御回路１３１の第１及び第２の選択信号入力端子Ｓ１ａ及びＳ１ｂに接続され、エミッタ端子は接地端子に接続され、ベース端子は１２Ｖ直流電源の正極端子と第１及び第２の選択信号入力端子Ｃ１３１ｉ及びＣ１３１ｊに接続されている。
なお、共通副制御信号入力用のＮＰＮトランジスタＴｒ１３１ａ〜Ｔｒ１３１ｈ、第１及び第２の選択信号入力用のＮＰＮトランジスタＴｒ１３１ｉ及びＴｒ１３１ｊのコレクタ端子は、図示を省略しているプルアップ抵抗を介して、表示制御回路１３１の電源である３．３Ｖの直流電源の正極端子に接続されている。
他の構成は、図１に示した構成と同様である。
【００３５】
次に、副制御基板１２０に表示制御基板１３０とランプ基板１４０を接続した場合の動作を説明する。
副制御回路１２１は、表示制御回路１３１に表示コマンド信号（副コマンド信号）を共通副制御信号として出力する場合には、表示コマンド信号（副コマンド信号）を構成する８ビットのデータを、共通副制御信号出力端子Ａ１〜Ａ８から共通副制御信号線に出力する。表示コマンド信号は、共通副制御線を介して、音源ＩＣ１２３の共通副制御信号入力端子Ａ１〜Ａ８に出力されるとともに、共通副制御信号出力用のＮＰＮトランジスタＴｒ１２１ａ〜Ｔｒ１２１ｈのベース端子に出力される。これにより、共通副制御信号出力端子Ｃ１２１ａ〜Ｃ１２１ｈ、したがって、共通副制御信号入力端子Ｃ１３１ａ〜Ｃ１３１ｈは、表示コマンド信号の各ビットに対応した状態となる。
同時に、副制御回路１２１は、表示制御回路１３１に対応する第１及び第２の選択信号出力端子Ｓ１ａ及びＳ１ｂから、表示制御回路１３１が選択されたことを示す選択信号（例えば、「Ｈ」レベルの選択信号）を第１及び第２の選択信号線１ａ及び選択信号線１ｂを介して第１及び第２の選択信号出力用のＮＰＮトランジスタＴｒ１２１ｉ及びＴｒ１２１ｊのベース端子に出力する。これにより、第１及び第２の選択信号出力端子Ｃ１２１ｉ及びＣ１２１ｊ、したがって、第１及び第２の選択信号入力端子Ｃ１３１ｉ及びＣ１３１ｊは、選択信号のレベルに対応した状態となる。
この時、音源ＩＣ１２３に対応する第１及び第２の選択信号出力端子Ｓ２ａ及びＳ２ｂからは、音源ＩＣ１２３が選択されていないことを示す選択信号（例えば、「Ｌ」レベルの選択信号）が出力されている。
【００３６】
表示制御回路１３１は、第１及び第２の選択信号入力端子Ｓ１ａ及びＳ１ｂに入力される選択信号が所定の条件を満足しているか否かを判別する。例えば、第１及び第２の選択信号入力端子Ｓ１ａ及びＳ１ｂに、表示制御回路１３１が選択されていることを示す選択信号（例えば、「Ｈレベルの」の選択信号）が入力されているか否かを判別する。そして、第１及び第２の選択信号入力端子Ｓ１ａ及びＳ１ｂに入力されている選択信号が、共に表示制御回路１３１が選択されていることを示している場合には、共通副制御信号入力端子Ａ１〜Ａ８に共通副制御信号として入力される表示コマンド信号（副コマンド信号）を取り込む。一方、第１及びウ第２の選択信号入力端子Ｓ１ａ及びＳ１ｂの一方に入力されている選択信号が、表示制御回路１３１が選択されていないことを示している場合には、共通副制御信号入力端子Ａ１〜Ａ８に入力されている表示コマンド信号の取り込みは行わない。
音源ＩＣ１２３に共通副制御信号を出力する場合には、副制御回路１２１は、共通副制御信号出力端子Ａ１〜Ａ８から共通副制御信号線に、共通副制御信号として音コマンド信号（副コマンド信号）を出力する。音コマンド信号は、共通副制御線を介して、音源ＩＣ１２３の共通副制御信号入力端子Ａ１〜Ａ８に出力されるとともに、共通副制御信号出力用のＮＰＮトランジスタＴｒ１２１ａ〜Ｔｒ１２１ｈに出力される。同時に、副制御回路１２１は、音源ＩＣ１２３に対応する第１及び第２の選択信号出力端子Ｓ２ａ及びＳ２ｂから第１及び第２の選択信号線２ａ及び２ｂを介して、音源ＩＣ１２３の第１及び第２の選択信号入力端子Ｓａ及びＳｂに、音源ＩＣ１２３が選択されていることを示す選択信号（例えば、「Ｈ」レベルの選択信号）を出力する。
音源ＩＣ１２３の動作は、表示制御回路１３１と同様である。
【００３７】
このように、本実施の形態では、副制御回路１２１は、共通副制御信号を出力する際に、第１及び第２の選択信号により構成される選択信号を出力する。そして、表示制御回路は、第１及び第２の選択信号が所定の条件を満足する場合にのみ共通副制御信号の読み取りを行う。
ここで、選択信号を伝送する選択信号線と共通副制御信号を伝送する共通副制御信号線は、接近した位置に配設されることが多い。このため、選択信号線を伝送する選択信号にノイズが混入しているか否かの判別結果は、共通副制御信号を伝送する共通副制御信号にノイズが混入しているか否かの判別結果としても利用することができる。したがって、選択信号にノイズが混入しているか否かを判別することによって、表示制御回路１３１に、ノイズが混入している表示コマンド信号が入力される虞があるか否か、すなわち、表示制御回路１３１が誤動作する虞があるか否かを判別することができる。
これにより、本実施の形態では、表示装置（装飾図柄表示装置）１３７に、抽選結果と異なる装飾図柄が表示されるのを防止することができる。
なお、音源ＩＣの１２３の動作に関しても、同様である。
【００３８】
次に、表示装置を用いた演出は行わず、ＬＥＤとスピーカを用いた演出を行う場合について説明する。ＬＥＤとスピーカを用いた演出を行う場合には、図５に示すように、副制御基板１２０に、ランプ基板（発光器基板）１５０とスピーカ１２４を接続する。
ここで、副制御基板１２０は、図４に示した副制御基板１２０と同じ構成であるため説明を省略する。
【００３９】
ランプ基板１５０には、コネクタが配設されている。図５では、共通副制御信号と選択信号を出力するコネクタＣ１２１に接続されるコネクタＣ１５１、個別副制御信号を出力するコネクタＣ１２２に接続されるコネクタＣ１５２、１２Ｖ直流電源を供給するコネクタＣ１２５、Ｃ１２６に接続されるコネクタＣ１５５、Ｃ１５６が配設されている。また、ＬＥＤ１〜ＬＥＤｍを接続するためのコネクタＣ１５４、ＬＥＤｘを接続するためのコネクタＣ１５３が配設されている。
また、各コネクタには端子が設けられている。コネクタＣ１５１には、副制御基板１２０のコネクタ１２１に設けられている副制御信号出力端子Ｃ１２１ａ〜Ｃ１２１ｈ、第１及び第２の選択信号出力端子Ｃ１２１ｉ及びＣ１２１ｊに接続される副制御信号入力端子Ｃ１５１ａ〜Ｃ１５１ｈ、第１及び第２の選択信号入力端子Ｃ１５１ｉ及びＣ１５１ｊが設けられている。
コネクタＣ１５２には、副制御基板１２０のコネウクタＣ１２２に設けられている個別副制御信号出力端子Ｃ１２２−１〜Ｃ１２２−ｍに接続される個別副制御信号入力端子Ｃ１５２−１〜Ｃ１５２−ｍが設けられている。
コネクタＣ１５４には、ＬＥＤ１〜ＬＥＤｍが接続されるＬＥＤ接続端子対（ＬＥＤ電源端子対）である、第１のＬＥＤ接続端子Ｃ１５４−１ａ〜Ｃ１５４−ｍａと第２のＬＥＤ接続端子Ｃ１５４−１ｂ〜Ｃ１５４−ｍｂが設けられている。第１のＬＥＤ接続端子Ｃ１５４−１ａ〜Ｃ１５４−ｍａは、過電流保護用の抵抗Ｒ１５０ｍを介して、１２Ｖ直流電源の正極端子に接続され、第２のＬＥＤ接続端子Ｃ１５４−ｍｂ〜Ｃ１５４−ｍｂは、接地端子に接続されている。
コネクタＣ１５３は、追加のＬＥＤｘが接続されるＬＥＤ接続端子対（ＬＥＤ電源端子対）である、第１のＬＥＤ接続端子Ｃ１５３ａと第２のＬＥＤ接続端子Ｃ１５３ｂが設けられている。第１のＬＥＤ接続端子Ｃ１５３ａは、過電流保護用の抵抗Ｒ１５０ｘを介して、１２Ｖ直流電源の正極端子に接続され、第２のＬＥＤ接続端子Ｃ１５３ｂは、電流調整回路１５１を介して接地端子に接続されている。
【００４０】
コネクタＣ１５１に設けられている共通副制御信号入力端子Ｃ１５１ａ〜Ｃ１５１ｈ、第１及び第２の選択信号入力端子Ｃ１５１ｉ及びＣ１５１ｊの一方（図５では、第１の選択信号入力端子Ｃ１５１ｉ）、第１及び第２のＬＥＤ接続端子Ｃ１５３ａ及びＣ１５３ｂの一方（図５では、第２のＬＥＤ接続端子Ｃ１５３ｂ）の間に電流調整回路１５１が配設されている。
本実施の形態では、電流調整回路１５１は、副制御信号入力端子Ｃ１５１ａ〜Ｃ１５１ｈそれぞれと第２のＬＥＤ接続端子Ｃ１５３ｂとの間に配設されている第１の抵抗Ｒ１５１ａ〜第８の抵抗Ｒ１５１ｈと、第１の抵抗Ｒ１５１ａ〜第８の抵抗Ｒ１５１ｈと第２のＬＥＤ接続端子Ｃ１５３ｂとの接続点（共通接続点）と第１の選択信号入力端子Ｃ１５１ｉとの間に配設されている第９の抵抗Ｒ１５１ｉにより構成されている。
電流調整回路１５１の第１の抵抗Ｒ１５１ａ〜第９の抵抗Ｒ１５１ｉの抵抗値は、コネクタＣ１５１の第１の選択信号入力端子Ｃ１５１ｉに、ＬＥＤｘが選択されていない（ＬＥＤｘを消灯させる）選択信号が入力されている時、例えば、副制御回路１２１の、ＬＥＤｘに対応する選択信号出力端子（図４では、表示制御回路１３１に対応する選択信号出力端子）Ｓ１ａから「Ｌ」レベルの選択信号が出力されて、選択信号出力用のＮＰＮトランジスタＴｒ１２１ｉが非導通状態、選択信号出力端子Ｃ１２１ｉ及び選択信号入力端子Ｃ１５１ｉが「開放状態」（「Ｈ」レベル）にある時には、第１及び第２のＬＥＤ接続端子Ｃ１５３ａ及びＣ１５３ｂに接続されているＬＥＤｘに流れる電流の値が、ＬＥＤｘの点灯可能最小電流値未満となるように（ＬＥＤｘが消灯するように）設定される。且つ、この時には、コネクタＣ１５１に設けられている共通副制御信号入力端子Ｃ１５１ａ〜Ｃ１５１ｈに入力される共通副制御信号に関係なく、ＬＥＤｘを流れる電流の値が、ＬＥＤｘの点灯可能最小電流値未満となるように（共通副制御信号に関係なくＬＥＤｘが消灯状態を保持するように）設定される。
また、コネクタＣ１５１の第１の選択信号入力端子Ｃ１５１ｉに、ＬＥＤｘが選択されている（ＬＥＤｘを点灯させる）選択信号が入力されている時、例えば、副制御回路１２１の、ＬＥＤｘに対応する選択信号出力端子Ｓ１ａから「Ｈ」レベルの選択信号が出力されて、選択信号出力用のＮＰＮトランジスタＴｒ１２１ｉが導通状態、選択信号出力端子Ｃ１２１ｉ及び選択信号入力端子Ｃ１５１ｉが「接地状態」（「Ｌ」レベル）にある時には、第１及び第２のＬＥＤ接続端子Ｃ１５３ａ及びＣ１５３ｂに接続されているＬＥＤｘに流れる電流の値が、ＬＥＤｘの点灯可能最小電流値以上となるように（ＬＥＤｘが点灯するように）設定される。且つ、この時には、コネクタＣ１５１に設けられている共通副制御信号入力端子Ｃ１５１ａ〜Ｃ１５１ｈに入力される共通副制御信号に関係なく、ＬＥＤｘを流れる電流の値が、ＬＥＤｘの点灯可能最小電流値以上となるように（共通副制御信号に関係なくＬＥＤｘが点灯状態を保持するように）設定される。
なお、図５に示す構成では、ＬＥＤｘに流れる電流の値は、過電流保護用の抵抗Ｒ１５０ｘ及び第１〜第９の抵抗Ｒ１５１ａ〜Ｒ１５１ｉの値によって決定される。
【００４１】
すなわち、電流調整回路１５１は、共通副制御信号入力端子Ｃ１５１ａ〜Ｃ１５１ｈに入力される共通副制御信号に関係なく、第１の選択信号入力端子Ｃ１５１ｉに入力される選択信号よって、第１及び第２のＬＥＤ接続端子Ｃ１５３ａ及びＣ１５３ｂに接続されているＬＥＤｘを流れる電流の値を調整するように構成されている。
これにより、共通副制御信号入力端子Ｃ１５１ａ〜Ｃ１５１ｈが空き端子となるのを防止することができ、また、共通副制御信号線を伝送する共通副制御信号が変化するのを防止することができる。
電流調整回路１５１の第１の抵抗Ｒ１５１ａ〜第９の抵抗Ｒ１５１ｉの抵抗値は、共通副制御信号入力端子Ｃ１５１ａ〜Ｃ１５１ｈに入力される共通副制御信号に関係なく、第１の選択信号入力端子Ｃ１５１ｉに入力される選択信号よって、ＬＥＤｘを流れる電流の値が点灯可能最小電流値未満あるいは点灯可能最小電流値以上に調整することができる範囲内適宜選択することができる。なお、第１の抵抗Ｒ１５１ａ〜第８の抵抗Ｒ１５１ｇとしては、抵抗値が高い抵抗を用いるのが好ましい。
【００４２】
さらに、第１及び第２の選択信号入力端子Ｃ１５１ｉ及びＣ１５１ｊの他方（電流調整回路１５１に接続されていない方の選択信号出力端子）、本実施の形態では、第２の選択信号入力端子Ｃ１５１ｊは、追加のＬＥＤｘを流れる電流をバイパスする（あるいは、追加のＬＥＤｘの端子電圧を、点灯可能最小電圧値未満に調整する）バイパス回路に接続されている。
本実施の形態では、バイパス回路は、バイパス回路用のＮＰＮトランジスタＴｒ１１５ｊにより構成されている。バイパス回路用のＮＰＮトランジスタＴｒ１１５ｊのコレクタは、追加のＬＥＤｘが接続されている第１及び第２のＬＥＤ接続端子１５３ａ及び１５３ｂのうちの他方（電流調整回路１５１に接続されていない方のＬＥＤ接続端子）に接続され、エミッタ端子は接地端子に接続され、ベース端子は、抵抗Ｒ１１５ｊｂ及びＲ１１５ｊａ（プルアップ抵抗）を介して１２Ｖ直流電源の正極端子に接続されているとともに、抵抗Ｒ１１５ｊｂを介して第２の選択信号入力端子Ｃ１５１ｊに接続されている。
これにより、第２の選択信号入力端子Ｃ１５１ｊが、ＬＥＤｘが選択されていないことを示す状態（例えば、「接地状態」）の時には、バイパス用のＮＰＮトランジスタＴｒ１１５ｊが導通状態となり、バイパス用のＮＰＮトランジスタＴｒ１１５ｊにより構成されるバイパス回路が形成され、ＬＥＤｘへの電流はこのバイパス回路に流れる。この時、バイパス用のＮＰＮトランジスタＴｒ１１５ｊに流れる電流の値は、過電流保護用の抵抗Ｒ１５０ｘによって制限される。この場合には、ノイズ等によって、第１の選択信号入力端子Ｃ１５１ｉに選択信号が入力されても、ＬＥＤｘが点灯することがない。
したがって、第２の選択信号入力端子Ｃ１５１ｊが、ＬＥＤｘが選択されていない状態となった場合には、ＬＥＤｘがノイズ等によって誤点灯するのを防止することができる。
【００４３】
ここで、本実施の形態では、バイパス用のＮＰＮトランジスタＴｒ１１５ｊのコレクタ端子を、ＬＥＤｘが接続される第１及び第２のＬＥＤ接続端子Ｃ１５３ａ及びＣ１５３ｂのうち、１２Ｖ直流電源の正極端子に接続される第１のＬＥＤ接続端子Ｃ１５３ａに接続している。このため、第２の選択信号入力端子Ｃ１５１ｊが、ＬＥＤｘが選択されていることを示す状態（例えば、「開放状態」）の時に、バイパス回路に電流が流れても、共通副制御信号線を伝送する共通副制御信号が変化することはない。
一方、第２の選択信号入力端子Ｃ１５１ｊが、ＬＥＤｘが選択されていることを示す状態（例えば、「開放状態」）の時には、バイパス用のＮＰＮトランジスタＴｒ１１５ｊが非導通状態となる。この場合には、第１の選択信号入力端子Ｃ１５１ｉに入力される第１の選択信号によってＬＥＤｘを流れる電流が調整される。この時は、第１の抵抗Ｒ１５１ａ〜Ｒ１５１ｈによって、共通副制御信号線を伝送する共通副制御信号の変化が防止される。
【００４４】
次に、副制御基板１２０にランプ基板１５０とスピーカ１２４が接続されている場合の動作を説明する。
副制御回路１２１の、ＬＥＤｘに対応する第１および第２の選択信号出力端子（図４では、表示制御回路１３１に対応する選択信号出力端子）Ｓ１ａ及びＳ１ｂから、ＬＥＤｘが選択されていないことを示す選択信号（例えば、「Ｌ」レベルの選択信号）が出力されている時には、第１及び第２の選択信号出力用のＮＰＮトランジスタＴｒ１２１ｉ及びＴｒ１２１ｊが非導通状態となる。これにより、第１及び第２の選択信号出力端子Ｃ１２１ｉ及びＣ１２１ｊ、したがって、第１及び第２の選択信号入力端子Ｃ１５１ｉ及びＣ１５１ｊが「開放状態」となる。
これにより、バイパス用トランジスタＴｒ１１５ｊが導通してバイパス回路が形成され、このバイパス回路によって、第１および第２のＬＥＤ接続端子Ｃ１３５ａ及びＣ１３５ｂに接続されているＬＥＤｘを流れる電流の電流値が点灯可能最小電流値未満に制限される。また、ＬＥＤｘを流れる電流の値は、電流調整回路１５１によっても点灯可能最小電流値未満に調整される。したがって、ＬＥＤｘは、確実に消灯する。この場合、共通副制御信号入力端子Ｃ１５１ａ〜Ｃ１５１ｈに入力される共通副制御信号に関係なく、ＬＥＤｘを流れる電流の値は点灯可能最小電流値未満に調整され、且つ、共通副制御線を伝送する共通副制御信号が変化することはない。
【００４５】
一方、副制御回路１２１の、ＬＥＤｘに対応する第１および第２の選択信号出力端子Ｓ１ａ及びＳ１ｂから、ＬＥＤｘが選択されていることを示す選択信号（例えば、「Ｈ」レベルの選択信号）が出力されている時には、第１及び第２の選択信号出力用のＮＰＮトランジスタＴｒ１２１ｉ及びＴｒ１２１ｊが導通状態となる。この場合、バイパス用トランジスタＴｒ１１５ｊが非導通状態となるため、バイパス回路は形成されない。そして、第１および第２のＬＥＤ接続端子Ｃ１３５ａ及びＣ１３５ｂに接続されているＬＥＤｘを流れる電流の値は、電流調整回路１５１によって、点灯可能最小電流値以上に調整される。したがって、ＬＥＤｘは、確実に点灯する。この場合、共通副制御信号入力端子Ｃ１４１ａ〜Ｃ１４１ｈに入力される共通副制御信号に関係なく、ＬＥＤｘを流れる電流の値は点灯可能最小電流以上に調整され、且つ、共通副制御線を伝送する共通副制御信号が変化することはない。
【００４６】
本実施の形態では、副制御回路１２１は、表示制御回路１３１に共通副制御信号（副コマンド信号）を出力する時、第１及び第２の選択信号により構成される選択信号を表示制御回路１３１に出力する。表示制御回路１３１は、第１及び第２の選択信号が所定の条件を満足している場合に、共通副制御信号を読み取る。これにより、表示制御回路１３１が、ノイズ等によって誤動作し、表示装置（装飾図柄表示装置）に、抽選結果と異なる装飾図柄が表示されるのを防止することができる。
また、ランプ基板（発光器基板）１５０では、追加のＬＥＤｘが選択されていない時には、第１及び第２の選択信号の一方によって、ＬＥＤｘを流れる電流をバイパスするバイパス回路が形成される。これにより、ＬＥＤｘが選択されていない場合には、ＬＥＤｘを流れる電流の値を、確実にＬＥＤｘの点灯可能最小電流値未満に抑えることができ、発光器が誤点灯することを防止することができる。
また、電流調整回路１５１によって、副制御回路１２１から出力される共通副制御信号に関係なく、選択信号によって、ＬＥＤｘを流れる電流の値が点灯可能最小電流値以上あるいは点灯可能最小電流値未満に調整される。これにより、副制御基板１２０にランプ基板１５０を接続した場合でも、共通副制御線を伝送する共通副制御信号に影響を与えることがなく、また、共通副制御信号入力端子Ｃ１５１ａ〜Ｃ１５１ｈに空き端子が発生するのを防止することができる。
【００４７】
本発明は、実施の形態で説明した構成に限定されず、種々の変更、追加、削除が可能である。
例えば、共通副制御信号入力端子、選択信号入力端子及び個別副制御信号入力端子を有するランプ基板を副制御基板に接続する場合について説明したが、副制御基板に接続する基板としては、共通副制御信入力端子と選択信号入力端子を有する種々の構成の基板を用いることができる。例えば、共通副制御信号入力端子と選択信号入力端子を有するランプ基板と、個別副制御信号入力端子を有するランプ基板を副制御基板を接続することもできる。
副制御基板にランプ基板を接続する場合について説明したが、ランプ基板以外の種々の基板を副制御基板に接続することができる。
副制御基板やランプ基板の構成は、実施の形態で説明した構成に限定されない。
電流調整回路は、実施の形態で説明した構成に限定されず、種々変更可能である。例えば、抵抗の数、抵抗の配置態様等は種々変更可能である。また、抵抗以外の素子を用いて構成することもできる。
発光器としては、ＬＥＤ以外の発光器を用いることもできる。また、発光器基板に接続する発光器の数は、適宜選択することができる。この場合、発光器の数や接続態様に応じて、電流調整回路の構成や抵抗値等が変更される。
共通副制御信号出力端子と選択信号出力端子、共通副制御信号入力端子と選択信号入力端子を一つのコネクタに設けたが、別々のコネクタに設けることもできる。
ＮＰＮトランジスタにより構成されるオープンコレクタ回路を用いたが、Ｎチャンネル型のＦＥＴによって構成されるオープンコレクタ回路を用いることもできる。
また、共通副制御線を伝送する共通副制御信号を８ビットのデータにより構成したが、共通副制御信号は、ｎビット（ｎは１以上の正の整数）のデータにより構成することができる。
本発明をパチンコ機として構成した場合にについて説明したが、本発明は、パチンコ機以外の種々の遊技機として構成することができる。
【００４８】
本発明は、以下のような遊技機として構成することもできる。
例えば、「（態様１）請求項１の遊技機であって、副制御基板には、ｎ個（ｎは２以上の正の整数）の共通副制御信号線が配設されているとともに、ｎ個の共通副制御線それぞれに接続されているｎ個の共通副制御信号出力端子が形成されており、発光器基板には、副制御基板のｎ個の共通副制御信号出力端子それぞれに接続されるｎ個の共通副制御信号入力端子が配設されており、電流調整回路は、ｎ個の共通副制御信号入力端子及び選択信号入力端子と第１及び第２の発光器接続端子の一方との間に接続されていることを特徴とする遊技機。」として構成することができる。
本発明では、共通副制御信号をｎビット（ｎは１以上の正の整数）のデータにより構成し、共通副制御信号線、共通副制御信号出力端子及び共通副制御信号入力端子をｎ個配設している。そして、ｎ個の共通副制御信号線及び選択信号線と一方の発光器接続端子の間に電流調整回路を設けている。
共通副制御信号は、８ビットのデータにより構成し、共通副制御信号線、共通副制御信号出力端子及び共通副制御信号入力端子は、８個設けるのが好ましい。
態様１の遊技機を用いれば、種々の共通副制御信号を伝送することができる。
【００４９】
あるいは、「（態様２）態様１の遊技機であって、電流調整回路は、ｎ個の共通副制御信号入力端子それぞれと第１及び第２の発光器接続端子の一方との間に接続された第１〜第ｎの抵抗と、第１〜第ｎの抵抗と第１及び第２の発光器接続端子の一方との接続点と選択信号入力端子との間に接続された第（ｎ＋１）の抵抗により構成されていることを特徴とする遊技機。」として構成することができる。
本発明では、電流調整回路は、ｎ個の共通副制御信号入力端子と一方の発光器接続端子との間に接続された第１〜第ｎの抵抗と、第１〜第ｎの抵抗と一方の発光器接続端子との接続点と選択信号入力端子との間に接続された第（ｎ＋１）の抵抗により構成されている。
第１の抵抗〜第（ｎ＋１）の抵抗の抵抗値は、発光器接続端子に接続されている発光器を流れる電流の値が、ｎ個の共通副制御信号入力端子に入力される共通副制御信号に関係なく、また、共通副制御信号線を伝送する共通副制御信号に影響を与えることなく、選択信号入力端子に選択信号が入力されている時には、発光器が点灯する値に調整され、選択信号入力端子に選択信号が入力されていない時には、発光器が消灯する値に調整されるように設定される。
態様２の遊技機を用いれば、電流調整回路を安価に、簡単に構成することができる。
【００５０】
あるいは、「（態様３）請求項１、態様１または２のいずれかの遊技機であって、副制御基板のいずれかの選択信号線は、第１及び第２の選択信号線により構成されているとともに、副制御基板の選択信号出力端子は、第１及び第２の選択信号線を伝送する選択信号それぞれを出力する第１及び第２の選択信号出力端子により構成されており、副制御回路は、第１あるいは第２の選択信号線に選択信号を出力する時には第１及び第２の選択信号線に選択信号を出力し、発光器基板の選択信号入力端子は、副制御基板の第１及び第２の選択信号出力端子それぞれに接続される第１及び第２の選択信号入力端子により構成され、
発光器基板には、第１及び第２の発光器接続端子に接続されている発光器を流れる電流をバイパスするバイパス回路が配設されており、第１及び第２の選択信号入力端子の一方が、電流調整回路に接続され、バイパス回路は、第１及び第２の選択信号入力端子の他方に選択信号が入力されていない時に動作し、選択信号が入力されている時に停止するように構成されていることを特徴とする遊技機。」として構成することができる。
本発明では、少なくとも、選択信号出力端子は、第１及び第２の選択信号出力端子により構成され、選択信号入力端子に接続される選択信号線は、第１及び第２の選択信号出力端子それぞれに接続される第１及び第２の選択信号線により構成されている。そして、副制御回路は、第１及び第２の選択信号線に選択信号を出力する。
副制御基板の共通副制御信号出力端子、第１及び第２の選択信号出力端子に、表示制御基板の共通副制御信号入力端子、第１及び第２の選択信号入力端子が接続されている場合には、表示制御基板に配設されている表示制御回路は、第１及び第２の選択信号入力端子に入力される第１及び第２の選択信号が所定の条件（例えば、第１及び第２の選択信号が、共に、選択されていることを示す「Ｈ」レベルであること）を満足する場合に、表示制御装置が選択されたことを示す選択信号が入力されたことを判別し、共通副制御信号入力端子に入力される共通副制御信号を取り込む。
一方、副制御基板の共通副制御信号出力端子、第１及び第２の選択信号出力端子に接続可能な共通副制御信号入力端子、第１及び第２の選択信号入力端子が配設されている発光器基板では、第１及び第２の選択信号入力端子の一方が電流調整回路に接続されている。そして、第１及び第２の発光器接続端子に接続されている発光器に流れる電流をバイパスするバイパス回路が配設されている。このバイパス回路は、第１及び第２の選択信号入力端子の他方に、選択されていることを示す選択信号が入力されている時に動作し、選択されていることを示す選択信号が入力されていない時に停止するように構成されている。
態様３の遊技機を用いれば、ノイズ信号等によって表示制御回路が誤動作するのを防止することができる副制御基板を兼用することができる。
【００５１】
あるいは、「（態様４）請求項１、態様１〜３のいずれかの遊技機であって、副制御基板には、副制御信号を伝送する個別副制御信号線と、個別副制御信号線に接続されている個別副制御信号出力端子が配設され、副制御回路は、主制御信号に基づいて、副制御信号を個別副制御信号線に出力し、発光器基板には、発光器が接続される第３及び第４の発光器接続端子と、第３及び第４の発光器接続端子の一方に接続されているとともに、副制御基板の個別副制御信号出力端子に接続される個別副制御信号入力端子が配設されていることを特徴とする遊技機。」として構成することができる。
本発明では、発光器基板には、副制御基板に配設されている個別副制御信号出力端子に接続可能な個別副制御信号入力端子と、発光器が接続可能な第３及び第４の発光器接続端子が配設されている。そして、第３及び第４の発光器接続端子の一方が、個別副制御信号入力端子に接続されている。
個別副制御信号出力端子、個別副制御信号入力端子、第３及び第４の発光器接続端子は、好適には、同じ数だけ配設され、それぞれ個別に接続される。第３及び第４発光器接続端子には、１あるいは複数の発光器が接続される。
個別副制御信号入力端子と第３及び第４の発光器接続端子の一方を接続する接続態様としては、適宜の接続態様を用いることができる。
態様４の遊技機を用いれば、一つの発光器基板を用いることができるため、安価に構成することができるとともに、組み付け作業が容易となる。
【００５２】
あるいは、「（態様５）請求項１、態様１〜４のいずれかの遊技機であって、副制御基板には、音制御回路と、音発生器接続端子が配設されており、音制御回路は、対応する選択信号線から選択信号が入力されている時に、共通副制御信号線から入力される副制御信号に基づいて、音発生器接続端子に音発生器駆動信号を出力することを特徴とする遊技機。」として構成することができる。
本発明では、副制御基板に音制御回路が配設されている。
態様５の遊技機を用いれば、音発生器と表示装置を用いた演出、あるいは音発生器、表示装置及びランプを用いた演出、あるいは、音発生器とランプを用いた演出を、共通の副制御基板を用いて行うことができる。
【図面の簡単な説明】
【００５３】
【図１】副制御基板に表示制御基板を接続したパチンコ機の概略構成図である。
【図２】副制御基板に表示制御基板を接続した第1の実施の形態のパチンコ機の要部を示す図である。
【図３】副制御基板に、第1の実施の形態の発光器基板を接続した第1の実施の形態のパチンコ機の要部を示す図である。
【図４】副制御基板に表示制御基板を接続した第２の実施の形態のパチンコ機の要部を示す図である。
【図５】副制御基板に、第２の実施の形態の発光器基板を接続した第２の実施の形態のパチンコ機の要部を示す図である。
【符号の説明】
【００５４】
１０  主制御基板
１１  主制御回路
１３、３３、１３３  表示装置駆動装置
１４  特別図柄表示装置
２０、１２０  副制御基板
２１、１２１  副制御回路
２３、１２３  音源ＩＣ
２４、１２４  スピーカ（音発生器）
２５、１２５  ランプ駆動回路（発光器駆動回路）
２６、ＬＥＤ１〜ＬＥＤｍ、ＬＥＤｘ、ＬＥＤ（発光器）
３０、１３０  表示制御基板
３１、１３１  表示制御回路
３４  ＶＤＰ
３６  表示装置駆動回路
３７、１３７  装飾図柄表示装置
４０、５０、１４０、１５０  ランプ基板（発光器基板）
５１、１５１  電流調整回路
【図１】
0004798486.tif 000002
【図２】
0004798486.tif 000003
【図３】
0004798486.tif 000004
【図４】
0004798486.tif 000005
【図５】
0004798486.tif 000006